(57)【特許請求の範囲】
【請求項１】
来訪者が呼出時に操作するための呼出ボタン（１０）を有する玄関子機（１）と、前記来訪者からの呼び出しに応答した居住者が通話を行なうためのハンドセット（２０）を有し前記ハンドセットをフックオフしたときにはハンドセット通話を行なう居室親機（２）とを備え、
前記居室親機には、前記ハンドセットがフックオンしている状態で、前記来訪者からの呼び出しに応答操作するとハンズフリー通話を行ない、再度操作すると終話を行なうためのハンズフリー通話ボタン（２４）と、前記ハンドセットがフックオフされてハンドセット通話中に、前記ハンズフリー通話ボタンが操作されても前記ハンドセット通話を維持する制御を行なうとともに、前記ハンズフリー通話ボタンが操作されてハンズフリー通話中に、前記ハンドセットがフックオフされたときには前記ハンドセット通話へ切り替える制御を行なうためのＣＰＵ（２５）とを備えることを特徴とするインターホン装置。
【発明の詳細な説明】
【発明の属する技術分野】
本発明はインターホン装置に係り、特に、来訪者との間で行なわれる居住者による通話を、ハンドセット通話およびハンズフリー通話の何れか一方で任意に選択可能としたインターホン装置に関する。
【従来の技術】
従来から、この種のインターホン装置として、特開平７−１４７６７６号公報掲載の露出取付型のハンズフリー通話テレビインターホン（以下、従来例をなすハンズフリー通話テレビインターホンという。）が提案されている。
従来例をなすハンズフリー通話テレビインターホンによれば、本体部に設けられる通話押ボタン（面型通話押ボタン）を大きくすることにより、来訪者からの呼出時における居住者の応答操作が容易となり、この応答操作の後、ハンズフリー通話を行なうことができる。
【発明が解決しようとする課題】
しかしながら、従来例をなすハンズフリー通話テレビインターホンによれば、来訪者との間で行なわれる居住者による通話はハンズフリー通話に限定され、このハンズフリー通話中において発生するハウリングの抑制に対応できない虞を有する難点があった。
本発明は、上述の難点を解消するためになされたもので、来訪者との間で行なわれる居住者による通話を、ハンドセット通話、ハンズフリー通話で兼用し、これらの通話の選択／切り替え／維持を容易としたインターホン装置を提供することを目的としている。
【課題を解決するための手段】
上述の目的を達成するため、本発明のインターホン装置は、来訪者が呼出時に操作するための呼出ボタンを有する玄関子機と、来訪者からの呼び出しに応答した居住者が通話を行なうためのハンドセットを有しハンドセットをフックオフしたときにはハンドセット通話を行なう居室親機とを備え、居室親機には、ハンドセットがフックオンしている状態で、来訪者からの呼び出しに応答操作するとハンズフリー通話を行ない、再度操作すると終話を行なうためのハンズフリー通話ボタンと、ハンドセットがフックオフされてハンドセット通話中に、ハンズフリー通話ボタンが操作されてもハンドセット通話を維持する制御を行なうとともに、ハンズフリー通話ボタンが操作されてハンズフリー通話中に、ハンドセットがフックオフされたときにはハンドセット通話へ切り替える制御を行なうためのＣＰＵとを備えている。
このようなインターホン装置によれば、玄関子機の呼出ボタンを操作した来訪者との間で行なわれる居住者による通話を、居室親機のハンドセットを使用したハンドセット通話、親機マイクおよび親機スピーカを使用したハンズフリー通話で兼用することでき、これらの通話手段は、ハンドセットをフックオフした場合、居室親機の所定の位置、例えば、ハンドセットの握り部に備えられるハンズフリー通話ボタンを操作した場合の相違に応じて、これを検出したＣＰＵの制御により何れか一方の通話手段が選択される。また、ハンドセット通話中においてハンズフリー通話ボタンが操作された場合には、これを検出したＣＰＵの制御によりハンドセット通話は維持される。さらに、ハンズフリー通話中にハンドセットセットがフックオフされた場合には、これを検出したＣＰＵの制御によりハンドセット通話へ切り替えられる。
【発明の実施の形態】
以下、本発明のインターホン装置を適用した好ましい形態の実施例について、図面を参照して説明する。
図１は、本発明のインターホン装置における一実施例の構成を示す全体斜視図であり、通常、住戸玄関先（以下、玄関先という。）に設置される玄関子機１と、伝送線路Ｌ1を介して玄関子機１に接続されており、通常、住戸内に設置される居室親機２とが備えられている。
図１の全体斜視図において、玄関子機１には、玄関先に居る来訪者が住戸内の居住者を呼び出す呼出時において操作（押下操作）するための呼出ボタン１０と、来訪者が居住者との間で通話を行なうために使用する子機マイク１１および子機スピーカ１２とを有する。
また、図１の全体斜視図において、居室親機２には、来訪者からの呼び出しに応答（応答操作）した居住者がハンドセット通話を行なうために使用するハンドセット２０と、ハンドセット２０の取り上げの有無に起因してフックオフ／フックオンされるフックスイッチ２１と、来訪者からの呼び出しに応答（応答操作）した居住者がハンズフリー通話を行なうために使用する親機マイク２２および親機スピーカ２３と、ハンドセット２０の握り部２０ａに備えられており、来訪者からの呼び出しを確認した居住者がハンドセット通話またはハンズフリー通話を行なうために応答操作する、ハンズフリー通話の終話を行なうために操作（再度操作）するハンズフリー通話ボタン２４とを有する。なお、親機スピーカ２３は、来訪者からの呼び出しを居住者に報知するための呼出音も鳴動する。
図２は、本発明のインターホン装置の一実施例による具体的な構成を示すブロック図である。
図２のブロック図において、玄関子機１には、上述の呼出ボタン１０、子機マイク１１、子機スピーカ１２と、子機マイク１１および子機スピーカ１２と後述する子機インターフェース回路１４との間の通話ラインを形成／遮断するための子機通話回路１３と、呼出ボタン１０、子機通話回路１３と伝送線路Ｌ1との間の信号伝送ラインをそれぞれ形成するための子機インターフェース回路（以下、子機Ｉ／Ｆという。）１４とが備えられている。
また、図２のブロック図において、居室親機２には、上述のハンドセット２０、フックスイッチ２１、親機マイク２２、親機スピーカ２３、ハンズフリー通話ボタン２４と、当該居室親機の構成各部（回路）を制御するためのＣＰＵ２５と、ＣＰＵ２５により制御され、親機スピーカ２３にて呼出音を鳴動させるための呼出音発生回路２６と、ＣＰＵ２５により制御され、ハンドセット２０と後述する親機インターフェース回路２９との間の通話ラインを形成／遮断するための親機通話回路（以下、第１の親機通話回路という。）２７と、ＣＰＵ２５により制御され、親機マイク２２および親機スピーカ２３と後述する親機インターフェース回路２９との間の通話ラインを形成／遮断するための親機通話回路（以下、第２の親機通話回路という。）２８と、ＣＰＵ２５、第１の親機通話回路２７、第２の親機通話回路２８と伝送線路Ｌ1との間の信号伝送ラインをそれぞれ形成するための親機インターフェース回路（以下、親機Ｉ／Ｆという。）２９とが備えられている。
このように構成された本発明のインターホン装置において、以下、具体的な動作を説明する。
図１の全体斜視図および図２のブロック図において、玄関先に居る来訪者が玄関子機１の呼出ボタン１０を操作すると、図２のブロック図に示す子機Ｉ／Ｆ１４、伝送線路Ｌ1、居室親機２の親機Ｉ／Ｆ２９を介してＣＰＵ２５に呼出信号が伝送される。
図２のブロック図において、玄関子機１からの呼出信号を検出した居室親機２のＣＰＵ２５は、呼出音発生回路２６を制御して同図および図１の全体斜視図に示す親機スピーカ２３から呼出音を鳴動させる。
ここで、図１の全体斜視図および図２のブロック図に示す居室親機２の親機スピーカ２３にて鳴動された呼出音をもとに、玄関先に居る来訪者からの呼び出しを確認した住戸内の居住者によりハンドセット２０が取り上げられると、フックスイッチ２１がフックオフし、これを検出した図２のブロック図に示すＣＰＵ２５は、第１の親機通話回路２７、第２の親機通話回路２８のうち、第１の親機通話回路２７のみを制御してハンドセット２０と当該第１の親機通話回路、親機Ｉ／Ｆ２９、伝送線路Ｌ1、玄関子機１の子機Ｉ／Ｆ１４、子機通話回路１３を介して子機マイク１１および子機スピーカ１２との間の通話ライン（以下、この通話ラインをハンドセット通話ラインという。）を形成することにより、居住者が使用するハンドセット２０と来訪者が使用する子機マイク１１および子機スピーカ１２との間で音声信号を送受信させることができ、来訪者との間で居住者によるハンドセット通話が行なわれる。
また、上述のようなハンドセット通話中において、図１の全体斜視図に示す居室親機２のハンドセット２０の握り部２０ａに備えられているハンズフリー通話ボタン２４が居住者により操作されると、これを検出した図２のブロック図に示すＣＰＵ２５は、第１の親機通話回路２７への制御を継続、すなわち、ハンドセット通話ラインの形成を継続することにより、居住者によるハンドセット通話は維持される。
さらに、上述のようなハンドセット通話中において、図１の全体斜視図および図２のブロック図に示す居室親機２のハンドセット２０が居住者により元の位置に戻されると、フックスイッチ２１がフックオンし、これを検出したＣＰＵ２５は、第１の親機通話回路２７への制御を停止、すなわち、ハンドセット通話ラインを遮断することにより、居住者によるハンドセット通話の終話が行なわれる。
一方、上述の図１の全体斜視図および図２のブロック図に示す居室親機２の親機スピーカ２３にて鳴動された呼出音をもとに、玄関先に居る来訪者からの呼び出しを確認した住戸内の居住者によりハンドセット２０の握り部２０ａに備えられているハンズフリー通話ボタン２４が操作されると、これを検出したＣＰＵ２５は、第１の親機通話回路２７、第２の親機通話回路２８のうち、第２の親機通話回路２８のみを制御して親機マイク２２および親機スピーカ２３と当該第２の親機通話回路、親機Ｉ／Ｆ２９、伝送線路Ｌ1、玄関子機１の子機Ｉ／Ｆ１４、子機通話回路１３を介して子機マイク１１および子機スピーカ１２との間の通話ライン（以下、この通話ラインをハンズフリー通話ラインという。）を形成することにより、居住者が使用する親機マイク２２および親機スピーカ２３と来訪者が使用する子機マイク１１および子機スピーカ１２との間で音声信号を送受信させることができ、来訪者との間で居住者によるハンズフリー通話が行なわれる。
また、上述のようなハンズフリー通話中において、図１の全体斜視図および図２のブロック図に示す居室親機２のハンドセット２０が居住者により取り上げられると、フックスイッチ２１がフックオフし、これを検出したＣＰＵ２５は、第２の親機通話回路２８への制御を停止、すなわち、ハンズフリー通話ラインを遮断する一方、第１の親機通話回路２７を制御してハンドセット通話ラインを形成することにより、来訪者との間で行なわれる居住者による通話が、ハンズフリー通話からハンドセット通話へ切り替えられる。なお、ハンズフリー通話から切り替えられたハンドセット通話中において、図１の全体斜視図に示すハンドセット２０の握り部２０ａに備えられているハンズフリー通話ボタン２４が居住者により操作されたときには、図２のブロック図に示すＣＰＵ２５による第１の親機通話回路２７への制御が継続、すなわち、ハンドセット通話ラインの形成が継続することにより、居住者によるハンドセット通話は維持される。
さらに、上述のようなハンズフリー通話中において、図１の全体斜視図に示す居室親機２のハンドセット２０の握り部２０ａに備えられているハンズフリー通話ボタン２４が居住者により再度操作されると、これを検出した図２のブロック図に示すＣＰＵ２５は、第２の親機通話回路２８への制御を停止、すなわち、ハンズフリー通話ラインを遮断することにより、居住者によるハンズフリー通話の終話が行なわれる。
なお、本発明のインターホン装置の一実施例では、来訪者からの呼び出しを確認した居住者がハンズフリー通話を行なうために応答操作し、ハンズフリー通話の終話を行なうために操作（再度操作）するハンズフリー通話ボタン２４を、図１の全体斜視図に示すようにハンドセット２０の握り部２０ａに備えたが、このハンズフリー通話ボタン２４は居室親機２の本体部、すなわち、親機マイク２２、親機スピーカ２３等が配置される側に備えることもでき、上記の本発明の一実施例と同様な効果を奏する。
また、本発明のインターホン装置における一実施例では、玄関先に設置される玄関子機として画像撮像機能を具備していない玄関子機１、住戸内に設置される居室親機として画像表示機能を具備していない居室親機２を適用させたが、画像撮像機能として来訪者や玄関先周囲近傍の画像を撮像するためのカメラが備えられた玄関子機、画像表示機能として玄関子機のカメラにて撮像された画像を出画するためのモニタが備えられた居室親機を適用させても好適である。
【発明の効果】
以上の説明から明らかなように、本発明のインターホン装置によれば、玄関子機の呼出ボタンを操作した来訪者との間で行なわれる居住者による通話を、居室親機のハンドセットを使用したハンドセット通話、親機マイクおよび親機スピーカを使用したハンズフリー通話で兼用することでき、これらの通話は、任意、例えば、玄関子機が設置される玄関先の周囲近傍の状況に応じて容易に選択／切り替え／維持可能であり通話品質が向上する。
【図面の簡単な説明】
【図１】  本発明の一実施例によるインターホン装置の構成を示す全体斜視図である。
【図２】  本発明の一実施例によるインターホン装置の具体的な構成を示すブロック図である。
【符号の説明】
１‥‥‥玄関子機
２‥‥‥居室親機
１０‥‥‥呼出ボタン
２０‥‥‥ハンドセット
２０ａ‥‥‥（ハンドセットの）握り部
２４‥‥‥ハンズフリー通話ボタン
２５‥‥‥ＣＰＵ
【図１】
0003839727.tif 000002
【図２】
0003839727.tif 000003